(57)【特許請求の範囲】
【請求項１】
ケーブル類の両側に配置される一対の側面板と該側面板の屈曲外周側および屈曲内周側にそれぞれ架橋される連結杆とで構成されたリンク体が、ケーブル類を内挿した状態で長手方向に屈曲半径を一定以上に規制して多数連結してなるケーブル類保護案内装置が移動端と固定端との間で長手方向に曲げ返されているものであって、
長手方向に曲げ返される前記ケーブル類保護案内装置の屈曲部と前記移動端との間で、向かい合った前記ケーブル類保護案内装置間に挟持されて、上下の前記ケーブル類保護案内装置の接触を回避するケーブル類保護案内装置用スケートユニットにおいて、
前記スケートユニットは、前記上下のケーブル類保護案内装置によって挟持されるローラを枢設した一対のサイドフレームと、前後のスケートユニットの連結を担う２本の連結棒と、前記連結棒の連結を行う連結ブロックを有しており、
前記連結ブロックは、前記連結棒が挿通する２つの連結孔を有しており、その内の１つの連結孔は、前記連結棒の連結・分離が可能なようにスリットが設けられており、
前記連結棒の一方は、その一部に前記スリットを通過可能な肉薄部を有していることを特徴とするケーブル類保護案内装置用スケートユニット。
【発明の詳細な説明】
【技術分野】
【０００１】
本発明は、工作機械、電子機器、産業用ロボット、運搬機械などに使用され、これら移動する機械、あるいは機械の移動部に給電、給液、給気等を行う電線ケーブル、光ファイバーケーブル、流体供給ホースなどの可撓性のケーブルやホース等（以下、単に「ケーブル類」と称する）を安全確実に保護案内するケーブル類保護案内装置に関し、さらに詳しくは、ケーブル類保護案内装置を長手方向に曲げ返して使用した場合に、向かい合ったケーブル類保護案内装置間に挟持することによって、上下のケーブル類保護案内装置の摺動摩擦を防止するスケートユニットに関するものである。
【背景技術】
【０００２】
工作機械、土木機械、搬送装置等の移動体へケーブル類を接続すると、移動に伴ってケーブル類に無理なねじれや屈曲、引張力が生じケーブル類を痛めたり外観も雑然となる。そのため、これらのケーブル類を支持案内するケーブル類保護案内装置が使用される。
【０００３】
一般にケーブル類保護案内装置は、図１０に示すようにケーブル類Ｃの両側に配置される一対の側面板１０２と該側面板１０２の屈曲外周側および屈曲内周側にそれぞれ架橋される連結杆１０１とで構成されたリンク体が、ケーブル類Ｃを内挿した状態で長手方向に屈曲半径を一定以上に規制して多数連結されることによって、ケーブル類を保持する構成をしている。
【０００４】
このようなケーブル類保護案内装置１００が移動端１０６と固定端１０５との間で長手方向に曲げ返されて使用される場合であって、それが長い移動ストロークである場合、曲げ返された前記ケーブル類保護案内装置１００と曲げ返される前の前記ケーブル類保護案内装置１００との屈曲内周面同士が接触摺動する。そして、この接触摺動により、前記ケーブル類保護案内装置１００の円滑な往復動作が阻害され、最悪の場合、摩耗により前記ケーブル類保護案内装置１００が破断するということが懸念されている。このような、事態を回避するため、図８及び図９に示したような、前記ケーブル類保護案内装置１００の屈曲部１２０と前記移動端１０６との間で、向かい合った前記ケーブル類保護案内装置間に挟持されて、上下の前記ケーブル類保護案内装置の接触を回避するスケートユニット４００が本発明の発明者によって、先に出願されている（特願２００５−２００２３６号）。
【発明の開示】
【発明が解決しようとする課題】
【０００５】
上述したようなスケートユニット４００は、図９に詳述するように上下のケーブル類保護案内装置によって挟持されるローラ４２０を枢設した一対のサイドフレーム４３０と、前記サイドフレーム４３０の所定の幅を維持すると共に、前後のスケートユニット４００の連結を担う２本の連結ピン４４０と、連結ピン４４０の抜けを防止する割りピン４６０と、前記連結ピン４４０の連結を行うための断面コ字状の連結ブロック４５０を有しており、スケートユニット４００は、屈曲可能に連結されている。
【０００６】
このようなスケートユニット４００は、所望の長さになるように、幾つかのスケートユニット４００を連結して使用されるのであるが、前後に位置するスケートユニット４００の連結ピンを連結ブロック４５０に穿孔された連結孔に挿通させて、割りピン４６０で連結ピンの抜けを防止しているため、一度、連結してスケートユニット４００を組み立ててしまうと長さの変更や持ち運び等は困難であった。
【０００７】
そこで本発明の目的は、持ち運びが容易であり、ユニット同士の連結・分離が簡単であるケーブル類保護案内装置用スケートユニットを提供することにある。
【課題を解決するための手段】
【０００８】
本請求項１に係る発明は、ケーブル類の両側に配置される一対の側面板と該側面板の屈曲外周側および屈曲内周側にそれぞれ架橋される連結杆とで構成されたリンク体が、ケーブル類を内挿した状態で長手方向に屈曲半径を一定以上に規制して多数連結してなるケーブル類保護案内装置が移動端と固定端との間で長手方向に曲げ返されているものであって、長手方向に曲げ返される前記ケーブル類保護案内装置の屈曲部と前記移動端との間で、向かい合った前記ケーブル類保護案内装置間に挟持されて、上下の前記ケーブル類保護案内装置の接触を回避するスケートユニットにおいて、前記スケートユニットは、前記上下のケーブル類保護案内装置によって挟持されるローラを枢設した一対のサイドフレームと、前後のスケートユニットの連結を担う２本の連結棒と、前記連結棒の連結を行う連結ブロックを有しており、前記連結ブロックは、前記連結棒が挿通する２つの連結孔を有しており、その内の１つの連結孔は、前記連結棒の連結・分離が可能なようにスリットが設けられており、前記連結棒の一方には、その一部に前記スリットを通過可能な肉薄部を有していることによって、上記の目的を達成するものである。
【発明の効果】
【０００９】
本発明のケーブル類保護案内装置のスケートユニットによれば、上下のケーブル類保護案内装置によって挟持されるローラを枢設した一対のサイドフレームと、前記サイドフレームの所定の幅を維持すると共に、前後のスケートユニットの連結を担う２本の連結棒と、前記連結棒の連結を行う連結ブロックを有しており、前記連結ブロックは、前記連結棒が挿通する２つの連結孔を有しており、その内の１つの連結孔は、前記連結棒の連結・分離が可能なようにスリットが設けられており、前記連結棒の一方には、その一部に前記スリットを通過可能な肉薄部を有していることによって、スケートユニットの可搬性が高められると共に、作業現場においてユニット同士の連結・分離を簡単に行うことができる。
【発明を実施するための最良の形態】
【００１０】
以下、図１乃至図７を参照して、本発明の実施例であるケーブル類保護案内装置用スケートユニットを説明する。図１は、本発明に係るケーブル類保護案内装置用スケートユニットの１ユニットを示す斜視図であり、図２は、図１に示したスケートユニット２００を連結した状態を示した上面図である。図３は、図２の３−３線における断面図であって、連結棒２４２の肉薄部２４２ａの断面を示しており、図４は、図２の４−４線における断面図を示している。図５は、連結ブロック２５０の斜視図である。図６は、本発明の連結棒２４２と連結ブロック２５０の連結動作を説明する説明図であり、図７は、図６に示した連結ブロックと連結棒とは別の形状のスリット３５２と別の形状の肉薄部３４２ａを有する連結ブロック３５０と連結棒３４２の連結動作を説明する説明図である。
【００１１】
本発明のケーブル類保護案内装置用スケートユニット２００は、図１に示すように、上下のケーブル類保護案内装置によって挟持されるローラ２２０を枢設した一対のサイドフレーム２３０と、これらのサイドフレーム２３０を所定の幅に維持すると共に、前後のスケートユニットの連結を担う２本の連結棒２４２、２４４と、前記連結棒２４２、２４４の連結を行う連結ブロック２５０を有している。そして、連結ブロック２５０は、図５に示したように、連結棒２４２、２４４が挿通する２つの連結孔２６２、２６４を有している。さらに、その内の１つの連結孔２６２は、前記連結棒２４２の連結・分離が可能なようにスリット２５２が設けられている。また、一方の連結棒２４２には、その一部に前記スリット２５２を通過可能な肉薄部２４２ａを有している。
【００１２】
連結棒２４４は、連結ブロック２５０を挿通した状態でサイドフレーム２３０に固着されており、連結棒２４２は、図３に示したように、肉薄部２４２ａを垂直から略４５°傾けた状態になるようにサイドフレーム２３０に固着されている。したがって、スケートユニット２００を連結する際には、連結ブロック２５０を連結されるスケートユニット２００の連結棒２４２の肉薄部２４２ａと対峙する位置に移動させ、図６（ａ）に示したように連結ブロック２５０のスリット２５２と連結棒２４２の肉薄部２４２ａの向きが一致する方向に向けてスリット２５２から肉薄部２４２ａを挿入させ、図６（ｂ）に示したように連結ブロック２５０の向きを水平に戻す。この状態で連結棒２４２は、連結ブロック２５０から分離できなくなるが、さらに、連結ブロック２５０を図２に示したように、連結棒２４２の中央に移動させることによって、図６（ｃ）に示したように、連結状態が確実になる。
【００１３】
したがって、スケートユニット２００は、一度連結すると、水平な状態を保っていれば、連結ブロック２５０が連結棒２４２、２４４上を移動したとしても分離されることはなく、一方、連結する時あるいは分離する時は、連結ブロック２５０を連結棒２４２の肉薄部２４２ａの位置に移動させて、垂直に対して略４５°傾けて、スリット２５２に肉薄部２４２ａを挿入、排出するだけで、スケートユニット２００の連結、分離が可能になる。
【００１４】
なお、図１において、符号２６０として示した部材は、スケートユニット２００を連結した際に前後のスケートユニット２００の横ずれを防止するための横ずれ防止部材である。また、上述した例では、図３に示したように連結棒２４２の両面を削ぎ落として肉薄部２４２ａを形成しているが、図７に示したようにスリット３５２を幅広とし、連結棒３４２の片面のみを削ぎ落として肉薄部３４２ａとすることも可能である。
【図面の簡単な説明】
【００１５】
【図１】本発明の実施例であるケーブル類保護案内装置用スケートユニットの１ユニットを示す斜視図である。
【図２】図１に示したケーブル類保護案内装置用スケートユニットを連結した状態を示す上面図である。
【図３】図２の３−３線における断面図である。
【図４】図２の４−４線における断面図である。
【図５】図１に示したケーブル類保護案内装置用スケートユニットの構成要素である連結ブロックの斜視図である。
【図６】本発明の連結棒と連結ブロックの連結動作を説明する説明図である。
【図７】本発明の別の形状の連結棒と連結ブロックの連結動作を説明する説明図である。
【図８】ケーブル類保護案内装置用スケートユニットの使用例を示す側面図である。
【図９】（ａ）は、従来のスケートユニットを示す上面図であり（ｂ）は、（ａ）のｂ−ｂ線における断面図である。
【図１０】一般的なケーブル類保護案内装置を示す図である。
【符号の説明】
【００１６】
１００  ・・・  ケーブル類保護案内装置
２００  ・・・  スケートユニット
２２０  ・・・  ローラ
２３０  ・・・  サイドフレーム
２４２、２４４  ・・・  連結棒
２４２ａ  ・・・  肉薄部
２５０、３５０  ・・・  連結ブロック
２５２、３５２  ・・・  スリット
２６０  ・・・  横ずれ防止部材
【図１】
0004598619.tif 000002
【図２】
0004598619.tif 000003
【図３】
0004598619.tif 000004
【図４】
0004598619.tif 000005
【図５】
0004598619.tif 000006
【図６】
0004598619.tif 000007
【図７】
0004598619.tif 000008
【図８】
0004598619.tif 000009
【図９】
0004598619.tif 000010
【図１０】
0004598619.tif 000011